(57)【特許請求の範囲】
【請求項１】
筒状の外側管と、
前記外側管の内側に配置され、
内側のランプ軸上に照射空間を有する筒状の内側管と、
前記外側管と前記内側管との間に放電空間とを有するエキシマランプにおいて、
前記外側管の管壁内部に埋設された内側電極と、
前記外側管外表面に配設され、
前記内側管とランプ軸を介して前記内側電極と少なくとも一部が対向する外側電極とを有し、
前記放電空間で生じた紫外線を前記照射空間に照射する
ことを特徴とするエキシマランプ。
【請求項２】
請求項１に記載のエキシマランプにおいて、
前記外側電極の端部が前記内側電極の端部よりランプ軸方向端部側に突出し、
前記外側電極を前記外側管の外周面全周を覆い被さるように設けたことにより、
前記放電空間で生じた紫外線が前記外側管の外周面から放射されない
ことを特徴とするエキシマランプ。
【請求項３】
請求項１または２に記載のエキシマランプにおいて、
前記内側電極は第１外側管の内表面と第２外側管の外表面の間に配置され、
前記外側管は前記第１外側管と前記第２外側管が溶着により一体として形成され、
前記内側電極の一端に前記内側電極への給電手段を有し、
前記第１外側管の前記給電手段側の端部は、
前記第２外側管の縮径開始部よりランプ軸方向端部側に突出している
ことを特徴とするエキシマランプ。
【請求項４】
請求項１乃至３のいずれかに記載のエキシマランプにおいて、
前記照射空間に配置または流動する被照射物質に紫外線を照射する
ことを特徴とするエキシマランプ。
【請求項５】
請求項１乃至３のいずれかに記載のエキシマランプにおいて、
前記照射空間に配置された非導電性物質に紫外線を照射する
ことを特徴とするエキシマランプ。
【発明の詳細な説明】
【技術分野】
【０００１】
本発明は、誘電体バリア放電、あるいは容量結合型高周波放電によって放電発光するエキシマランプに関し、特に、二重管構造を有し、内側管の内側の被照射物質に紫外線を照射するエキシマランプに関する。
【背景技術】
【０００２】
内側管の内側に紫外線を照射する二重管構造のエキシマランプには、外側管の外面に高電圧電極として外側電極を設け、内側管より内側に低電圧電極として内側電極を設けた構造のエキシマランプと、内側電極を有さずに内側管内側に充填される導電性流体を低電圧電極として使用する構造のエキシマランプとがある。（特許文献１参照）。
【０００３】
特許文献１に記載されているエキシマランプにおいて、内側管の内側に内側電極を設けると、内側管の内側に向けて放射される紫外線の一部を内側電極が遮ってしまい、内側管内側の物質（以下、被照射物質）に照射される紫外線が低下し、紫外線照射効率が低下する問題がある。また、被照射物質と内側電極の間で化学反応が生じ、互いに変質する問題がある。それに対して、内側管内側に充填されている被照射物質が導電性流体である場合は上記のような問題は生じない。しかしながら、被照射物質は導電性流体に限定されるので、被照射物質として非導電性の流体に紫外線を照射することが出来ない。また、被照射物質が導電性流体であっても、内側管内側に十分充填されていないと、内側管と被照射物との間の空間が生じ、誘電体バリア放電が妨げられることから、好適に紫外線を照射することが出来ない問題があった。
【先行技術文献】
【特許文献】
【０００４】
【特許文献１】特表２０１３−５４４０１６号公報
【発明の概要】
【発明が解決しようとする課題】
【０００５】
上記問題点に鑑みて、この発明が解決しようとする課題は、エキシマランプにおいて、被照射物質の導電性や内側管への充填状態に関わらず、被照射物に紫外線を効率よく照射できるエキシマランプを提供することである。
【課題を解決するための手段】
【０００６】
本発明のエキシマランプは、筒状の外側管と、外側管の内側に配置された筒状の内側管と、外側管と内側管との間に放電空間とを有し、放電空間で生じた紫外線を内側管の内側に照射するエキシマランプであり、内側電極を外側管の管壁内部に埋設し、外側電極の少なくとも一部が内側管を介して内側電極と対向するように、外側電極を外側管外表面に配設した構造を有する。
【０００７】
このような構造を有することで、内側管周辺の放電空間で誘電体バリア放電または容量結合型高周波放電（以下  放電）が発生し、放電によって生じた紫外線を内側電極に遮られることなく、被照射物質に照射することができる。
【０００８】
更に本発明のエキシマランプは、外側管外周面に外側電極と電気的に接続された外側補助電極を配設し、外側補助電極と内側電極との外側管周方向に沿った距離が、外側電極と内側電極との外側管周方向に沿った距離より小さい構造を有する。
【０００９】
このような構造を有することで、外側補助電極と内側電極との放電空間を介した離間距離は、外側電極と内側電極との距離より短くなる。そのため、放電空間において、まず内側電極と外側補助電極との間で放電が生じ、放電ガスが活性化することで、内側電極と外側電極との間で放電が生じやすくなり、良好な始動性を得ることができる。
【００１０】
更に本発明のエキシマランプは、外側電極を外側管の外周面全周に設けた構造を有する。
【００１１】
このような構造を有することで、内側電極と外側電極との放電空間を介した離間距離が最短となる部分を有し、良好な始動性を得ることができる。また、放電空間内の放電の斑が抑制され、被照射物質に均一に紫外線を照射することができる。
【００１２】
本発明のエキシマランプは、内側電極の一端に内側電極への給電手段を有し、給電手段側の外側管端部は、外側電極よりランプ軸方向端部側に突出した構造を有する。
【００１３】
このような構造を有することで、内側電極への給電手段と外側電極との間で外側管外表面に沿った沿面放電が生じることを抑制することができる。
【００１４】
更に本発明のエキシマランプは、内側管の内側に配置された非導電性物質に紫外線を照射するエキシマランプに好適である。
【発明の効果】
【００１５】
二重管構造を有するエキシマランプにおいて、被照射物質の導電性や内側管への充填状態に関わらず、被照射物に紫外線を好適かつ、効率よく照射できるエキシマランプを提供することができる。
【図面の簡単な説明】
【００１６】
【図１】本発明によるエキシマランプの第１実施形態の概略外観図である。
【図２】本発明によるエキシマランプの第１実施形態の軸線を通る概略断面図である。
【図３】図２のＶ−Ｖ線に沿う概略断面図である。
【図４】本発明によるエキシマランプの第２実施形態の概略外観図である。
【図５】図４のＷ−Ｗ線に沿う概略断面図である。
【図６】本発明によるエキシマランプの第３実施形態の軸線を通る概略断面図である。
【図７】図７のＸ−Ｘ線に沿う概略断面図である。
【図８】第３実施形態の他の例を示した軸線を通る概略断面図である。
【発明を実施するための形態】
【００１７】
以下、図１から図３を参照して本発明の第１の実施形態について説明する。
図１は、第１の実施形態の概略外観図であり、図２は、第１の実施形態の軸線を通る概略断面図であり、図３は図２のＶ−Ｖ線に沿う概略断面図である。
【００１８】
エキシマランプ（以下ランプ）は、図１に示すように外側管１と内側管２とによる二重管構造を有し、外側管１の外周面に外側電極５を配設し、内側管２の内側に紫外線を照射するランプである。
【００１９】
図２および図３に示すように、ランプは、それぞれ石英ガラスなどの誘電材料から成る筒状の第１外側管１０１と、第１外側管の内側に第１外側管と同軸に配置された誘電材料から成る筒状の第２外側管１０２とが、溶着により一体として形成された外側管１と、外側管１の内側に同軸上に配置された紫外線透過性を有する筒状の内側管２と、外側管１の両端が縮径して内側管２と溶着することにより外側管１と内側管２の間に形成されるランプ径方向断面ドーナツ状の放電空間３と、外側管１の管壁内部に埋設された内側電極４と、少なくとも一部が内側電極４と内側管２を介して対向する、外側管１の外周面に配設した外側電極５と、内側電極４と電気的に接続された内側給電線６と、外側電極５と電気的に接続された外側給電線７と、により構成される。
【００２０】
放電空間３には、Ｘｅなどの希ガス、もしくは希ガスとハロゲンガスとの混合ガスが放電ガスとして封入される。内側管２の内側には被処理物質が配置または流動する照射空間８を有する。
【００２１】
内側電極４は例えば箔または膜状の電極であり、例えばモリブデン材やアルミニウム材で構成される。内側電極４は第１外側管１０１の内表面と第２外側管１０２の外表面の間に配置され、第１外側管１０１と第２外側管１０２が溶着により外側管１として一体とになることで、外側管１の管壁内部に埋設される。内側電極４の一方の端には内側給電線６が電気的に接続され、内側給電線６は外側管１外部に取り出されている。他の端は、完全に外側管１の管壁内部に埋め込まれて終端している。内側給電線６は内側電極４の外部への電気的接続のために設けられているが、内側給電線６を設けずに内側電極４の一端を内側給電線６として外部へ取り出してもよい。内側電極４の内側管２側表面は紫外線を反射する特性を有していても良い。
【００２２】
外側電極５は例えば箔または膜状の電極であり、例えばモリブデン材やアルミニウム材で構成される。外側電極５は、少なくとも一部が内側管２を介して内側電極４と対向するように外側管１の外周面に配設されており、加えて外側電極５は、少なくとも一部が内側電極４とランプ軸を介して対向していることが望ましい。外側電極５の内側管２側表面は紫外線を反射する特性を有していても良い。
【００２３】
内側給電線６と外側給電線７は、交流高電圧電源（図示せず）に接続されており、内側給電線６および外側給電線７を介してランプに電力が供給される。
【００２４】
外側電極５と内側電極４との間に高周波高電圧が印加されると、誘電体（外側管１）を介して、放電空間３において図３の破線Ａ（少なくとも一方）のように内側管４の周辺で放電が発生する。放電によって生じた紫外線は内側管２を透過して、照射空間８に照射される。
【００２５】
外側電極５の少なくとも一部が内側管２を介して内側電極４と対向すると、放電が内側管４の近辺で発生するが、加えて外側電極５の少なくとも一部がランプ軸を介して内側電極４と対向するとことによって、図３の破線Ａのように放電が内側管２の周辺を覆うように発生する。そのため、紫外線は照射空間８に均一に放射することができる。
【００２６】
内側電極４の内側管２側表面または外側電極５の内側管２側表面、もしくはその両方が紫外線反射特性を有すると、放電空間３から外側管１側に放射される紫外線の一部を照射空間８側に反射することができ、照射空間８への紫外線照射効率が向上する。
【００２７】
内側電極４を高圧電極、外側電極５を接地電極とすることで、高圧電極が外側管１管壁内部に埋設され、外側管１外表面で沿面放電が生じることを防止するとともに、高圧電極が露出しない安全なランプを実現できる。  
【００２８】
図４および図５を参照して第２の実施形態について説明する。
図４は、第２の実施形態であるエキシマランプの概略外観図であり、図５は図４のＷ−Ｗ線に沿う概略断面図である。
【００２９】
第２の実施形態は、第１の実施形態に加えて、外側管１の外周面に、外側電極５と電気的接続手段（図示せず）によって接続された外側補助電極５０１を配設する。外側補助電極５０１は外側管１の外周面において、外側補助電極５０１と内側電極４との外側管周方向に沿った距離が、外側電極５と内側電極４との外側管周方向に沿った距離より小さくなるように配設される。外側補助電極５０１の内側管２側表面は紫外線を反射する特性を有していても良い。外側補助電極５０１は少なくとも１つ以上配設されればよく、複数配設しても良い。
【００３０】
内側電極４と外側電極５との間に高周波高電圧が印加されると、放電空間３において、まず内側電極４と外側補助電極５０１の間で図５の破線Ｂのように放電が発生し、その後、内側電極４と外側電極５との間で図５の破線Ａのように放電が発生する。
【００３１】
第１の実施形態では、内側電極４と外側電極５との間に放電に寄与しない内側管２および照射空間８があり、放電の始動電圧が高くなる場合がある。それに対して第２の実施形態では、まず放電距離の短い内側電極４と外側補助電極５０１との間で放電が発生し、放電ガスが活性化することから、第１の実施形態より低い始動電圧で内側電極４と外側電極５の間で放電を発生する。これにより、良好な始動性を得ることができる。
【００３２】
外側補助電極５０１の内側管２側表面が紫外線反射特性を有すると、第１の実施形態と同様に、放電空間３から外側管１側に放射される紫外線の一部を照射空間８側に反射することができ、照射空間８への紫外線照射効率が向上する。
【００３３】
図６乃至図８を参照して第３の実施形態について説明する。
図６は、第３の実施形態であるエキシマランプの軸線を通る概略的断面図であり、図７は図６のＸ−Ｘ線に沿う概略断面図である。図８は第３実施形態の他の例を示した軸線を通る概略断面図である。
【００３４】
第３の実施形態は、図６および図７に示すように外側電極５が外側管１の外周面全周に配設される。
【００３５】
内側電極４と外側電極５との間に高周波高電圧が印加されると、まず図７の破線Ｃのように放電距離が最小となる放電が発生し、その後、破線Ｄ、破線Ａの順で順次放電が発生する。
【００３６】
このように、放電距離が最小となる放電が生じることで、放電ガスが活性化し、順次、放電距離が長い放電が発生することから、始動電圧をより低くすることが出来るとともに、安定した始動性を得ることができる。
【００３７】
また、第１の実施形態および第２の実施形態では、放電に斑が生じる場合があるが、第３の実施形態では外側管１の外周面全周に外側電極５があることから、例えば図７の破線Ａ、破線Ｃおよび破線Ｄのように放電空間３のランプ径方向ほぼ全域で放電が発生し、放電の斑が生じることを抑制できる。これにより、照射空間８により均一に紫外線を照射することができる。
【００３８】
内側電極４の内側管２側表面または外側電極５の内側管２側表面、もしくはその両方が紫外線反射特性を有すると、放電空間３から外側管１側に放射される紫外線を照射空間８側に反射することができ、照射空間８への紫外線照射効率が向上するとともに、外側管１の外周面から紫外線が放射されない安全なランプを実現することができる。
【００３９】
第３実施形態においては、図６に示すように外側管１と外側電極５とはランプ軸方向長さが同一である（外側管１の外周を覆い被さるように外側電極５が配設されている）が、図８に示すように、第１外側管１０１のランプ内側給電線６側端面が、外側電極５のランプ内側給電線６側端面よりランプ軸方向端部側に突出（第１外側管突出部９）していても良く、更に第１外側管突出部９が、第２外側管１０２の縮径開始部１０よりランプ軸方向端部側に突出していても良い。
【００４０】
内側電極４と外側電極５との間に高周波高電圧が印加されると、放電空間３で放電が発生する。第１外側管１０１の沿面放電防止距離Ｅだけランプ軸方向端部側に突出した第１外側管突出部９によって、外側電極５と内側給電線６が互いに十分絶縁され、外側管１の外表面上において、内側給電線６と外側電極５との間で沿面放電が発生することを防止することができる。さらに、第１外側管突出部９を、第２外側管１０２の縮径開始部１０よりランプ軸方向端部側に突出させることによって、内側給電線６の引き出し部を介して内側電極４と外側電極５との間で沿面放電が発生することを防止することができる。
【実施例】
【００４１】
図８を参照して、上記第３の実施形態を満たすランプの実施例について説明する。
【００４２】
本発明の二重管構造を有し、内側電極４を外側管１管壁内部に埋設するエキシマランプにおいて、放電空間３の内側電極４と外側電極５とが対向する範囲で略均一に放電を発生させるには、放電空間３の外径、すなわち外側管１の内径が３０（ｍｍ）以下であり、電極間に印加する高周波高電圧が３〜１８（ｋＶ）であることが望ましい。
【００４３】
外側管１の外表面上において沿面放電防止距離Ｅは、高周波高電圧によって変動するが、高周波高電圧が３〜１８（ｋＶ）の範囲では少なくとも１（ｍｍ）以上であることが望ましい。
【符号の説明】
【００４４】
１  外側管
１０１  第１外側管
１０２  第２外側管
２  内側管
３  放電空間
４  内側電極
５  外側電極
５０１  外側補助電極
６  内側給電線
７  外側給電線
８  照射空間
９  第１外側管突出部
１０  縮径開始部
【図１】
0006541362.tif 000002
【図２】
0006541362.tif 000003
【図３】
0006541362.tif 000004
【図４】
0006541362.tif 000005
【図５】
0006541362.tif 000006
【図６】
0006541362.tif 000007
【図７】
0006541362.tif 000008
【図８】
0006541362.tif 000009